(57)【特許請求の範囲】
【請求項１】
内視鏡挿入部の内部に配置される密着コイルバネの塑性変形方法であって、
密着コイルバネのコイルバネ径方向の変形を規制する規制工程と、
前記密着コイルバネの前記コイルバネ径方向の変形を規制した状態で、前記密着コイルバネにコイルバネ軸方向の圧縮力を付与することで前記密着コイルバネを塑性変形させる塑性変形工程と、
を含む、密着コイルバネの塑性変形方法。
【請求項２】
前記規制工程は、前記密着コイルバネを筒状体に挿入し、前記筒状体により前記密着コイルバネの前記コイルバネ径方向の変形を規制する、
請求項１に記載の密着コイルバネの塑性変形方法。
【請求項３】
前記筒状体の筒状体軸方向長さは、前記圧縮力を付与する前における前記密着コイルバネの前記コイルバネ軸方向の長さよりも長く構成され、
前記塑性変形工程は、前記筒状体に挿入された前記密着コイルバネに前記コイルバネ軸方向の一端又は両端から前記圧縮力を付与する、
請求項２に記載の密着コイルバネの塑性変形方法。
【請求項４】
前記塑性変形工程は、前記密着コイルバネに前記コイルバネ軸方向に前記圧縮力を付与する工程と、前記密着コイルバネに前記圧縮力を解除する工程とを少なくとも２回以上繰り返す、
請求項１〜３のいずれか１項に記載の密着コイルバネの塑性変形方法。
【請求項５】
前記密着コイルバネは、内視鏡軟性部の硬度を調整する硬度調整用密着コイルバネである、請求項１〜４のいずれか１項に記載の密着コイルバネの塑性変形方法。
【請求項６】
前記密着コイルバネは、内部にワイヤが挿通され、前記密着コイルバネの先端部が前記ワイヤの先端部に直接的又は間接的に接続されており、前記密着コイルバネの基端部と前記ワイヤの基端部との前記内視鏡挿入部の長手軸方向における相対距離の変化により、前記コイルバネ軸方向に圧縮される密着コイルバネである、請求項５に記載の密着コイルバネの塑性変形方法。
【請求項７】
前記圧縮力は、内視鏡軟性部を直線状態として前記内視鏡軟性部の硬度を最大としたときに前記密着コイルバネにかかる前記コイルバネ軸方向の最大圧縮力の少なくとも５倍以上である、
請求項１〜６のいずれか１項に記載の密着コイルバネの塑性変形方法。
【請求項８】
前記密着コイルバネは、内視鏡湾曲部を湾曲操作するワイヤをガイドするための湾曲操作ワイヤガイド用密着コイルバネである、請求項１〜４のいずれか１項に記載の密着コイルバネの塑性変形方法。
【請求項９】
前記密着コイルバネは、内部に前記内視鏡挿入部の湾曲部を湾曲操作するワイヤが挿通される密着コイルバネである、請求項８に記載の密着コイルバネの塑性変形方法。
【発明の詳細な説明】
【技術分野】
【０００１】
本発明は密着コイルバネの塑性変形方法に係り、特に、内視鏡挿入部の内部に配置された密着コイルバネの耐久性を向上させるための密着コイルバネの塑性変形方法に関する。
【背景技術】
【０００２】
従来から、医療分野において、内視鏡を利用した医療診断が広く行われている。特に、体腔内に挿入される内視鏡挿入部（以下、挿入部と言う。）の先端部にＣＣＤ（Charge Coupled Device）などの撮像素子を内蔵して体腔内の画像を撮影し、プロセッサ装置で信号処理を施してモニタに表示し、これを医者が観察して診断に用いたり、或いは、処置具挿通用のチャンネルから処置具を挿入して、例えば試料の採取やポリープの切除等の処置を行ったりしている。
【０００３】
内視鏡は、一般に、施術者が把持して操作する操作部と、この操作部に対して体腔内等へ挿入される挿入部とを連設し、操作部からコネクタ部等に接続するためのユニバーサルケーブルを引き出すことにより大略構成される。そして、ユニバーサルケーブルは操作部から延在させて、その他端部は光源装置やプロセッサ装置に着脱可能に接続される。
【０００４】
内視鏡の挿入部は、複雑に湾曲した挿入経路内にも挿入できるように、可撓性を有する軟性部を有している。しかし、この可撓性のために挿入部の先端側の方向が定まらず、目標とする方向に挿入することが難しいという問題がある。また、体腔内に挿入している際、何らかの処置や観察を行うために、挿入部がそのときの形状で固定されていることが望ましい場合がある。
【０００５】
そこで、コイルと、このコイルに挿通されたワイヤとからなる硬度調整手段を、軟性部の内部に配設した内視鏡が特許文献１に開示されている。特許文献１の内視鏡によれば、操作部に設けられた硬度調整ノブを施術者が回動操作してワイヤを牽引し、コイルを軸方向に圧縮することにより、軟性部の硬度を増すことができる。すなわち、硬度調整手段によって軟性部の可撓性を制御することができる。
【０００６】
特許文献１にも開示されているが、硬度調整手段を有する内視鏡は、硬度調整手段を数多くの検査で繰り返し使用すると、コイルが次第に塑性変形で縮むことにより、硬度を最大に設定調整した場合に硬度変化量が小さくなり所望の機能を損なう問題がある。
【０００７】
そこで、特許文献１の硬度調整装置は、上記の問題を解消するために、コイルに所定量の圧縮力をかけ、コイルの長さ寸法を自然長と異なる短い長さ寸法に変形させて軟性部の内部に配置している。
【０００８】
具体的には、ワイヤ及びコイルを挿入部に組み付ける前に、ワイヤとコイルの先端側をロウ付けによって固定する。また、コイルの基端側にコイルストッパを固定する。そして、コイルストッパを保持してワイヤを所定力量で１回又は複数回牽引操作して、コイルに圧縮力をかけ、コイルの長さ寸法を自然長より短い長さに変化させる。次に、この状態で、ワイヤストッパをワイヤにロウ付けして固定する。この後、挿入部及び操作部の内部にワイヤ及びコイルを組み付ける。
【０００９】
特許文献１によれば、予めコイルに所定量（所定力量、所定回数、所定時間）の圧縮力をかけ、初期変形、つまり、ユーザーが使用を開始する前の段階で予め圧縮力を加えてコイルを塑性変形させているので、ユーザーが繰り返し硬度調整機能を使用した場合にこの機能が劣化することを極力少なくしている。
【先行技術文献】
【特許文献】
【００１０】
【特許文献１】特許第３９２３７０１号公報
【発明の概要】
【発明が解決しようとする課題】
【００１１】
しかしながら、特許文献１の硬度調整装置は、コイルとワイヤとを先端側で固定した状態で、ワイヤを牽引してコイルに圧縮力を付与するので、ワイヤの強度を超えた圧縮力をコイルにかけることはできない。
【００１２】
また、コイルに付与する圧縮力を増大させていくと、コイルが圧縮力によって蛇行変形していくので、高い圧縮力をコイルに効率よく付与することができず、コイルの耐久性を向上させるには限界がある。
【００１３】
更に、実際にはワイヤの基端側をチャックで固定してワイヤを牽引するため、ワイヤの少なくともチャックで固定する部分は損傷してしまう。このため、予め長めのワイヤをコイルに挿通し、ワイヤの基端側をチャックで固定してコイルに圧縮力を付与した後、チャックで損傷したワイヤの基端側を切断する作業が必要となる。そのため、設備が大掛かりになり作業性が悪いという問題がある。
【００１４】
また、内視鏡挿入部の湾曲部を湾曲操作するワイヤをガイドするための湾曲操作ワイヤガイド用密着コイルバネについても、コイルの耐久性を向上させるという同様の課題がある。
【００１５】
本発明はこのような事情に鑑みてなされたもので、簡単な設備で作業性よく密着コイルバネの耐久性を向上させることができる密着コイルバネの塑性変形方法を提供することを目的とする。
【課題を解決するための手段】
【００１６】
上述の目的を達成するために、本発明に係る密着コイルバネの塑性変形方法は、内視鏡挿入部の内部に配置される密着コイルバネの塑性変形方法であって、密着コイルバネの密着コイルバネ径方向の変形を規制する規制工程と、密着コイルバネの密着コイルバネ径方向の変形を規制した状態で、密着コイルバネに密着コイルバネ軸方向の圧縮力を付与することで密着コイルバネを塑性変形させる塑性変形工程と、を含む。
【００１７】
本発明の一態様によれば、密着コイルバネの密着コイルバネ径方向の変形を規制した状態で、密着コイルバネに密着コイルバネ軸方向の圧縮力を付与するので、密着コイルバネは、蛇行変形が規制された状態で圧縮力が付与される。これにより、高い圧縮力を密着コイルバネに効率よく付与することができる。よって、密着コイルバネ径方向の変形を規制するだけの簡単な設備で、作業性よく密着コイルバネの耐久性を向上させることができる。
【００１８】
本発明の一態様は、規制工程は、密着コイルバネを筒状体に挿入し、筒状体により密着コイルバネの密着コイルバネ径方向の変形を規制することが好ましい。
【００１９】
本発明の一態様によれば、密着コイルバネを筒状体に挿入するだけで、密着コイルバネの密着コイルバネ径方向の変形を規制することができるので、より簡単な設備で規制工程を実施できる。
【００２０】
本発明の一態様は、筒状体の筒状体軸方向長さは、前記圧縮力を付与する前における密着コイルバネの密着コイルバネ軸方向の長さよりも長く構成され、塑性変形工程は、筒状体に挿入された密着コイルバネに密着コイルバネ軸方向の一端又は両端から圧縮力を付与することが好ましい。
【００２１】
本発明の一態様によれば、密着コイルバネの全長を筒状体に挿入することができるので、密着コイルバネの全長において蛇行変形を防止した状態で、密着コイルバネに圧縮力を付与することができる。
【００２２】
本発明の一態様は、塑性変形工程は、密着コイルバネに密着コイルバネ軸方向に圧縮力を付与する工程と、密着コイルバネに圧縮力を解除する工程とを少なくとも２回以上繰り返すことが好ましい。
【００２３】
本発明の一態様によれば、圧縮力を付与する工程と圧縮力を解除する工程とを繰り返すことにより密着コイルバネを効率よく塑性変形することができる。
【００２４】
本発明の一態様は、密着コイルバネは、内視鏡軟性部の硬度を調整する硬度調整用密着コイルバネであることが好ましい。
【００２５】
本発明の一態様は、密着コイルバネは、内部にワイヤが挿通され、密着コイルバネの先端部がワイヤの先端部に直接的又は間接的に接続されており、密着コイルバネの基端部とワイヤの基端部との内視鏡挿入部の長手軸方向における相対距離の変化により、コイルバネ軸方向に圧縮される密着コイルバネであることが好ましい。
【００２６】
本発明の一態様は、圧縮力は、内視鏡軟性部を直線状態として内視鏡軟性部の硬度を最大としたときに密着コイルバネにかかる密着コイルバネ軸方向の最大圧縮力の少なくとも５倍以上であることが好ましい。
【００２７】
本発明の一態様によれば、密着コイルバネの耐久性が十分に得られる変形量に、密着コイルバネを塑性変形することができる。
【００２８】
本発明の一態様は、密着コイルバネは、内視鏡湾曲部を湾曲操作するワイヤをガイドするための湾曲操作ワイヤガイド用密着コイルバネであることが好ましい。
【００２９】
本発明の一態様は、密着コイルバネは、内部に内視鏡挿入部の湾曲部を湾曲操作するワイヤが挿通される密着コイルバネであることが好ましい。
【発明の効果】
【００３０】
本発明の密着コイルバネの塑性変形方法によれば、簡単な設備で作業性よく密着コイルバネの耐久性を向上させることができる。
【図面の簡単な説明】
【００３１】
【図１】内視鏡の断面図
【図２】実施形態の塑性変形方法のフローチャート
【図３】（Ａ）、（Ｂ）、（Ｃ）は実施形態の塑性変形方法を継時的に示した説明図
【図４】（Ａ）は塑性変形前の密着コイルバネの要部断面図、（Ｂ）は塑性変形後の密着コイルバネの要部断面図
【図５】湾曲操作ワイヤをガイドする密着コイルバネを示した内視鏡挿入部の断面図
【発明を実施するための形態】
【００３２】
以下、添付図面を参照して、本発明に係る密着コイルバネの塑性変形方法について説明する。
【００３３】
図１は、実施形態の塑性変形方法によって塑性変形された密着コイルバネ２８を有する内視鏡１０の断面図である。
【００３４】
〔内視鏡１０の構成〕
実施形態の内視鏡１０は、操作部１２と、操作部１２に連設された内視鏡挿入部である挿入部１４とを備える。
【００３５】
挿入部１４の基端側は、操作部１２の先端側に、折れ止めのカバー部材１６を介して連設される。挿入部１４は、挿入部１４の基端部から先端部に向けて、内視鏡軟性部である軟性部１８、内視鏡湾曲部である湾曲部２０及び先端硬質部２２を備える。
【００３６】
内視鏡１０には、硬度調整装置が設けられる。硬度調整装置は、軟性部１８の硬度を調整する硬度調整手段２４と、硬度調整手段２４を操作する硬度調整部２６とを備える。
【００３７】
〈硬度調整手段２４、硬度調整部２６〉
図１では、挿入部１４を破断して示すとともに、図面の煩雑さを避けるため、硬度調整用密着コイルバネである密着コイルバネ２８とワイヤ３０とを備える硬度調整手段２４を主として示している。
【００３８】
密着コイルバネ２８の圧縮状態を変化させる硬度調整部２６の方式として、ワイヤ３０の基端部３０Ａを密着コイルバネ２８の基端部２８Ａに対して基端側に牽引するワイヤ牽引方式と、密着コイルバネ２８の基端部２８Ａを先端部側に向かって押し込むコイル圧縮方式の２つの方式がある。双方の方式で使用される密着コイルバネ２８は、内部にワイヤ３０が挿通され、後述するように密着コイルバネ２８の先端部がワイヤ３０の先端部に直接的又は間接的に接続されており、密着コイルバネ２８の基端部２８Ａとワイヤ３０の基端部３０Ａとの挿入部１４の長手軸方向における相対距離の変化により、コイルバネ軸方向に圧縮される密着コイルバネである。なお、以下の実施形態ではコイル圧縮方式で説明する。
【００３９】
密着コイルバネ２８は、軟性部１８から操作部１２にかけて設けられる。また、ワイヤ３０は、軟性部１８から操作部１２にかけて設けられ、密着コイルバネ２８の中空部に挿通される。ワイヤ３０と密着コイルバネ２８の各々の先端部は中継金具３２の基端部に、ロウ付け等の固定方法によって固定される。
【００４０】
中継金具３２の先端部には、クッション部材である短長の密着コイルバネ３４の基端部が接続され、密着コイルバネ３４の先端部に金具３６が固定されている。中継金具３２、密着コイルバネ３４及び金具３６は、挿入部１４に固定されておらず、よって硬度調整手段２４の先端部は自由端として構成されている。
【００４１】
一方、ワイヤ３０の基端部３０Ａは、密着コイルバネ２８の基端部２８Ａよりも基端側に延出され、ワイヤスリーブ３８に挿通されて固定される。ワイヤスリーブ３８は、操作部１２に設けられたワイヤ固定ブロック４０を介して操作部１２のフレーム４２に固定され、固定端として構成される。
【００４２】
密着コイルバネ２８の基端部２８Ａは、プッシュリング４４に設けられた圧縮部４６に当接して支持される。圧縮部４６は、プッシュリング４４が先端側に前進移動することによって、密着コイルバネ２８に密着コイルバネ軸方向の圧縮力を加える。すなわち、プッシュリング４４を先端側に前進移動させることによって密着コイルバネ２８は密着コイルバネ軸方向に圧縮される。そして、プッシュリング４４を基端側に後退移動させることによって密着コイルバネ２８は圧縮状態から自然長の長さに戻される。
【００４３】
プッシュリング４４の外周面には、少なくとも２本のカムピン４８が突設される。カムピン４８は、フレーム４２に備えられた直進溝５０を介して、フレーム４２に外装されたカムリング５２のカム溝５４に係合される。したがって、カムリング５２が回動されると、直進溝５０とカム溝５４にガイドされたカムピン４８を介してプッシュリング４４が先端側又は基端側に前後移動することができる。
【００４４】
以上が内視鏡１０の概略構成と硬度調整装置の作用である。次に、内視鏡１０の軟性部１８の硬度を調整する硬度調整用の密着コイルバネ２８の塑性変形方法について説明する。
【００４５】
〔密着コイルバネ２８の塑性変形方法〕
図２は、実施形態の塑性変形方法のフローチャートである。
【００４６】
実施形態の塑性変形方法は、密着コイルバネ２８の密着コイルバネ径方向の変形を規制する規制工程Ｓ（Step）１０と、密着コイルバネ２８の密着コイルバネ径方向の変形を規制した状態で、密着コイルバネ２８に密着コイルバネ軸方向の圧縮力を付与することで密着コイルバネ２８を塑性変形させる塑性変形工程Ｓ２０と、を含む。
【００４７】
図３（Ａ）、（Ｂ）、（Ｃ）は実施形態の塑性変形方法の一例を継時的に示した説明図である。
【００４８】
規制工程Ｓ１０（図２参照）では、図３（Ａ）、（Ｂ）の断面図の如く、密着コイルバネ２８を、筒状体である金属製のパイプ６０に挿入し、パイプ６０の内周面によって密着コイルバネ２８の密着コイルバネ径方向の変形を規制する。つまり、密着コイルバネ２８をパイプ６０に挿入するだけで、密着コイルバネ２８の密着コイルバネ径方向の変形を規制することができる。よって、より簡単な設備で規制工程Ｓ１０を実施できる。
【００４９】
なお、密着コイルバネ２８の密着コイルバネ径方向の変形を規制できる部材であれば、パイプ６０に限定されるものではない。例えば、密着コイルバネ２８の挿入孔を備えた型部材を、密着コイルバネ軸方向に二分割し、各々の型部材の対向面に備えられている、挿入孔となる半円形状の溝によって密着コイルバネ２８の密着コイルバネ径方向の変形を規制してもよい。また、パイプ６０は円筒に限定されず、角筒であってもよい。
【００５０】
また、パイプ６０は、その筒状体軸方向長さＬ１が、圧縮力を付与する前における密着コイルバネ２８の密着コイルバネ軸方向（図３のＸ方向）の長さＬ２よりも長く構成される。
【００５１】
そして、規制工程Ｓ１０に続く塑性変形工程Ｓ２０（図２参照）では、パイプ６０に挿入された密着コイルバネ２８に密着コイルバネ軸方向の一端又は両端から圧縮力を付与する。すなわち、図３（Ｂ）の如く、密着コイルバネ２８をパイプ６０に挿入し、両端が開口されたパイプ６０の右端開口部をキャップ６２によって閉鎖する。そして、パイプ６０の左端開口部からロッド６４をパイプ６０内に挿入し、ロッド６４の矢印で示す押圧力によって密着コイルバネ２８に圧縮力を付与する。ロッド６４の外径は密着コイルバネ２８の外径と略等しいため、密着コイルバネ２８を密着コイルバネ軸方向に良好に圧縮することができる。なお、パイプ６０の両端の開口部から２本のロッド６４を挿入して密着コイルバネ２８に圧縮力を付与してもよい。
【００５２】
図３（Ｂ）の塑性変形工程Ｓ２０によれば、密着コイルバネ２８の全長をパイプ６０に挿入することができるので、密着コイルバネ２８の全長において蛇行変形を防止した状態で、密着コイルバネ２８に圧縮力を付与することができる。
【００５３】
その後、図３（Ｃ）の如く、パイプ６０からキャップ６２を取り外し、パイプ６０から密着コイルバネ２８を取り出す。以上で、塑性変形工程Ｓ２０が終了する。
【００５４】
以上の如く、実施形態の塑性変形方法は、単体の密着コイルバネ２８に対し、密着コイルバネ２８の密着コイルバネ径方向の変形を規制した状態で、密着コイルバネ２８に密着コイルバネ軸方向の圧縮力を付与する。これにより、密着コイルバネ２８は、蛇行変形が規制された状態で圧縮力が付与されるので、高い圧縮力を密着コイルバネ２８に効率よく付与することができる。
【００５５】
よって、実施形態の塑性変形方法によれば、密着コイルバネ径方向の変形を規制するだけの簡単な設備で、作業性よく密着コイルバネ２８の耐久性を向上させることができる。
【００５６】
また、塑性変形工程Ｓ２０において、ロッド６４から密着コイルバネ２８に付与する圧縮力は、図１の軟性部１８を直線状態として軟性部１８の硬度を、硬度調整装置によって最大としたときに密着コイルバネ２８にかかる密着コイルバネ軸方向の最大圧縮力の少なくとも５倍以上、例えば１０００Ｎ以上の圧縮力であることが好ましい。これにより、密着コイルバネ２８の耐久性が十分に得られる変形量に、密着コイルバネ２８を有効に塑性変形させることができる。
【００５７】
一方、ワイヤを牽引して密着コイルバネに圧縮力を付与する特許文献１等の塑性変形方法では、１０００Ｎ以上の圧縮力を付与すると、その圧縮力の大きさに起因してワイヤが断線する場合がある。よって、特許文献１等の塑性変形方法は、１０００Ｎ以上の圧縮力を密着コイルバネに付与することが困難なので、密着コイルバネを有効に塑性変形させることができない。
【００５８】
これに対して実施形態の塑性変形方法によれば、図４（Ａ）の要部断面図で示す塑性変形前の密着コイルバネ２８を、図４（Ｂ）の要部断面図で示す塑性変形後の密着コイルバネ２８の如く有効に塑性変形させることができる。
【００５９】
図４（Ａ）の塑性変形前の密着コイルバネ２８は、その素線２９の断面が円形であって、隣接する素線２９と接している。これに対して、図４（Ｂ）の塑性変形後の密着コイルバネ２８は、付与された大きな圧縮力によって、その素線２９の円形の一部が潰れた形状に塑性変形し、隣接する素線２９同士が圧接している。図4（Ｂ）の密着コイルバネ２８の断面形状は楕円形であるが、楕円形に限定されず偏平円形状や長円形状に塑性変形する場合もある。よって、図３（Ｃ）で示す塑性変形後の密着コイルバネ２８の密着コイルバネ軸方向の長さＬ３は、塑性変形前の長さＬ２と比較して素線２９が円形から楕円形に塑性変形された分だけ短くなり、良好に塑性変形される。
【００６０】
また、塑性変形工程Ｓ２０は、密着コイルバネ２８に密着コイルバネ軸方向に圧縮力を付与する工程と、密着コイルバネ２８に圧縮力を解除する工程とを少なくとも２回以上繰り返すことが好ましい。これにより、密着コイルバネ２８に圧縮力を効率よく付与することができるので、密着コイルバネ２８を効率よく塑性変形させることができる。この場合の圧縮力も１０００Ｎ以上であることが好ましい。
【００６１】
上記実施形態では、内視鏡軟性部の硬度を調整する密着コイルバネ２８の塑性変形方法について説明したが、内視鏡湾曲部を湾曲操作するワイヤをガイドするための湾曲操作ワイヤガイド用密着コイルバネの塑性変形方法についても、本発明の塑性変形方法を適用することができる。
【００６２】
ここで、湾曲操作ワイヤガイド用密着コイルバネについて簡単に説明する。
【００６３】
図５は、湾曲操作ワイヤ７０をガイドする湾曲操作ワイヤガイド用密着コイルバネ（以下、密着コイルバネと称する）７２を示した挿入部１４の断面図である。
【００６４】
湾曲部２０は、軟性部１８の先端側に接続される口金７４と、口金７４に連設された複数のアングルリング７６とを備える。口金７４とアングルリング７６はそれぞれピン７８を介して回動自在に連接され、湾曲操作ワイヤ７０の牽引操作によって湾曲動作する。密着コイルバネ７２は、操作部１２から軟性部１８の先端側に配置され、その内部に湾曲操作ワイヤ７０が挿通されることにより、湾曲操作ワイヤ７０をガイドする。
【００６５】
このように構成される密着コイルバネ７２に対し、上述した本発明の塑性変形方法を適用する。すなわち、単体の密着コイルバネ７２に対し、密着コイルバネ７２の密着コイルバネ径方向の変形を規制した状態で、密着コイルバネ７２に密着コイルバネ軸方向の圧縮力を付与する。これにより、密着コイルバネ７２は、蛇行変形が規制された状態で圧縮力が付与されるので、高い圧縮力を密着コイルバネ７２に効率よく付与することができる。
【００６６】
よって、実施形態の塑性変形方法によれば、密着コイルバネ径方向の変形を規制するだけの簡単な設備で、作業性よく密着コイルバネ７２の耐久性を向上させることができる。
【００６７】
なお、密着コイルバネ７２の先端部７２Ａは口金７４のフランジ部７５に固定され、湾曲操作ワイヤ７０の先端部７０Ａは、湾曲部２０の先端側に配置されたアングルリング７６に固定される。すなわち、密着コイルバネ７２の先端部７２Ａは、口金７４及び複数のアングルリング７６を介して湾曲操作ワイヤ７０の先端部７０Ａと間接的に連結される。更に、密着コイルバネ７２は、湾曲操作ワイヤ７０を基端側に牽引操作して湾曲部２０を湾曲操作することによって圧縮力が加えられる。
【００６８】
一方、図１に示した硬度調整用の密着コイルバネ２８とワイヤ３０とは、各々の先端部が中継金具３２の基端部に、ロウ付け等の固定方法によって直接的に固定される。また、密着コイルバネ２８は、プッシュリング４４が先端側に前進移動することによって、密着コイルバネ軸方向の圧縮力が加えられる。
【００６９】
つまり、図１に示した硬度調整用の密着コイルバネ２８と図５に示した湾曲操作用の密着コイルバネ７２とは、密着コイルバネの中にワイヤが挿通され、密着コイルバネの先端部が直接的又は間接的にワイヤの先端部に連結される構造が共通し、かつコイルに圧縮力が加えられる作用が共通する。
【００７０】
よって、硬度調整用の密着コイルバネ２８と構造及び作用が共通する湾曲操作用の密着コイルバネ７２に実施形態の塑性変形方法を適用することが可能であり、密着コイルバネ２８と同様に密着コイルバネ７２の耐久性を簡単な設備で、作業性よく向上させることができる。
【符号の説明】
【００７１】
１０…内視鏡、１２…操作部、１４…挿入部、１６…カバー部材、１８…軟性部、２０…湾曲部、２２…先端硬質部、２４…硬度調整手段、２６…硬度調整部、２８…密着コイルバネ、２９…素線、３０…ワイヤ、３２…中継金具、３４…密着コイルバネ、３６…金具、３８…ワイヤスリーブ、４０…ワイヤ固定ブロック、４２…フレーム、４４…プッシュリング、４６…圧縮部、４８…カムピン、５０…直進溝、５２…カムリング、５４…カム溝、６０…パイプ、６２…キャップ、６４…ロッド、７０…湾曲操作ワイヤ、７２…密着コイルバネ、７４…口金、７６…アングルリング、７８…ピン
【図１】
0006448508.tif 000002
【図２】
0006448508.tif 000003
【図３】
0006448508.tif 000004
【図４】
0006448508.tif 000005
【図５】
0006448508.tif 000006